(57)【要約】【課題】  従来の接木クリップは、接木接合部の径ごとに違う接木クリップを使用しなければならず、挟着保持作業に手間がかかる上コスト高になるという課題がある。【解決手段】  本発明の接木接合クリップは、二枚のつまみ片がＶ字状に樹脂で一体成型され、そのＶ字状の外側角部に挟着片が対向して設けられ、その挟着片間に挟持溝が上下に貫通して縦向きに形成され、前記挟持溝は、その奥側から先端側に向けて次第に狭く形成されており、二枚のつまみ片を互いに接近させると挟持溝が広がってその内側に接木接合部をセットでき、二枚のつまみ片の接近を解放すると挟持溝が元に戻って挟持溝内の接木接合部が挟着保持され、二枚のつまみ片の一方又は双方に支持体を上から差込可能な支持体差込孔が形成されたものである。また、つまみ片間に連結部を樹脂で一体成型することもできる。挟持溝の内面にすべり防止溝を多数本形成することもできる。【選択図】図１
2008263878.tif 000002
【特許請求の範囲】
【請求項１】
台木と穂木の接木接合部を挟着保持する接木接合クリップであって、二枚のつまみ片が開閉可能なＶ字状に樹脂で一体成型され、Ｖ字状の外側角部に接木接合部を挟着保持可能な挟着片が対向して形成され、両挟着片の間に接木接合部を挟持可能な挟持溝が縦向きに貫通して形成され、挟持溝は奥側から先端側に向けて次第に狭く形成されて先端部が開口し、挟持溝と反対側の二枚のつまみ片を互いに接近させると両挟着片が外側に開いて挟持溝が広がって挟持溝の内側に接木接合部を収容でき、二枚のつまみ片の接近を解放すると両挟着片が閉じて挟持溝内の接木接合部が挟着保持され、二枚のつまみ片の一方又は双方に支持体を上方から差し込み可能な支持体差込孔が形成されたことを特徴とする接木接合クリップ。
【請求項２】
台木と穂木の接木接合部を挟着保持する接木接合クリップであって、二枚のつまみ片が開閉可能なＶ字状に樹脂で一体成型され、Ｖ字状の外側角部に接木接合部を挟着保持可能な挟着片が対向して形成され、両挟着片の間に接木接合部を挟持可能な挟持溝が縦向きに貫通して形成され、挟持溝は奥側から先端側に向けて次第に狭く形成されて先端部が開口し、挟持溝と反対側の二枚のつまみ片を互いに接近させると両挟着片が外側に開いて挟持溝が広がって挟持溝の内側に接木接合部を収容でき、二枚のつまみ片の接近を解放すると両挟着片が閉じて挟持溝内の接木接合部が挟着保持され、二枚のつまみ片間に両つまみ片を連結する連結部が樹脂で両つまみ片と一体成型され、二枚のつまみ片と連結部との間に支持体を上方から差し込み可能な支持体差込空間が形成されたことを特徴とする接木接合クリップ。
【請求項３】
請求項２記載の接木接合クリップにおいて、二枚のつまみ片の一方又は双方に支持体を上方から差し込み可能な支持体差込孔が形成されたことを特徴とする接木接合クリップ。
【請求項４】
請求項１乃至請求項３のいずれかに記載の接木接合クリップにおいて、挟持片の内面に接木接合部の位置ずれを防止するすべり防止溝が縦向きに形成されたことを特徴とする接木接合クリップ。
【発明の詳細な説明】
【技術分野】
【０００１】
本発明は、接木する台木と穂木との接合部（接木接合部）を挟着保持する接木接合クリップに関するものである。
【背景技術】
【０００２】
従来、接木接合部を保持する接合クリップには各種のものがある。例えば、特許文献１記載のようにクリップ状であって先端側に円形の接木接合部保持孔が形成されたものや、特許文献２記載のようにクリップ状であって、接木接合部挟持部の先端が鉤状のものがある。
【０００３】
【特許文献１】特開２００３−１６４２２７号公報
【特許文献２】特開平９−８４４６０号公報
【発明の開示】
【発明が解決しようとする課題】
【０００４】
特許文献１記載の接合クリップは、接木接合部保持孔の内径サイズが一定であるため、接木接合部の径（台木、穂木の太さ）ごとに前記内径サイズの異なる接合クリップを使用しなければならず、製造用金型の用意、製造後の在庫管理等が大変であり、コスト高の一因となる。特許文献２記載の接合クリップも接木接合部挟持部の広さが一定であるため、特許文献１記載の接合クリップと同様の課題があるとともに、接木接合部挟持部の先端が鉤状であるため接合クリップの着脱に手間がかかるという課題もある。
【課題を解決するための手段】
【０００５】
本発明は、台木及び穂木の径が異なる各種サイズの接木接合部を一つで挟着保持でき、クリップを土壌に支持してクリップの転倒を防止してクリップで挟着保持された接木の倒れを防止する支持材を差し込み可能な接木接合クリップを提供するものである。
【０００６】
本件出願の接木接合クリップは台木と穂木の接木接合部を挟着保持する接木接合クリップであり、請求項１記載のように、二枚のつまみ片が開閉可能なＶ字状に樹脂で一体成型され、Ｖ字状の外側角部に接木接合部を挟着保持可能な挟着片が対向して形成され、両挟着片の間に接木接合部を挟持可能な挟持溝が縦向きに貫通して形成され、挟持溝は奥側から先端側に向けて次第に狭く形成されて先端部が開口し、挟持溝と反対側の二枚のつまみ片を互いに接近させると両挟着片が外側に開いて挟持溝が広がって挟持溝の内側に接木接合部を収容でき、二枚のつまみ片の接近を解放すると両挟着片が閉じて挟持溝内の接木接合部が挟着保持され、二枚のつまみ片の一方又は双方に支持体を上方から差し込み可能な支持体差込孔が形成されたものである。この場合、支持体差込孔は請求項２記載のように、二枚のつまみ片間に両つまみ片を連結する連結部を樹脂で両つまみ片と一体成型して、二枚のつまみ片と連結部との間に形成することのできる支持体差込空間にすることもできる。また、一つのクリップに前記支持体差込孔と支持体差込空間の双方を形成することもできる。更に、請求項４記載のように、挟持片の内面に接木接合部の位置ずれを防止するすべり防止溝を縦向きに形成することもできる。
【発明の効果】
【０００７】
本件出願の接木接合クリップは次の効果がある。
（１）挟持溝がその奥側から先端側に向けて狭くなるように形成されているため、小径の接木接合部は挟持溝の幅の狭い先端側（開口部側）で挟着保持し、大径の接木接合部は挟持溝の奥側で挟着保持することができるため一つの接木接合クリップで外径の異なる接木接合部を確実に挟着保持できる。このためクリップのサイズを少なくすることができ、製造用金型の用意や管理、製造したクリップの保管や搬送の管理等が容易になってコスト低減に資する。
（２）支持体差込孔や支持体差込空間に爪楊枝等の支持体を差し込んで支持体を台木が植えられている地中まで差し込めば接木の傾斜や転倒を防止できる。二枚のつまみ片の双方に支持体差込孔を設ければ夫々に支持体を差し込むことができるのでクリップがより一層傾斜し難くなり、接木の傾斜や転倒を確実に防止できる。
（３）クリップに支持体差込孔と支持体差込空間の双方を設ければ、接木の転倒防止が更に確実になる。
（４）挟持溝の内面にすべり防止溝が形成されているので、接木した台木と穂木が位置ずれしにくくなり、接木接合部が活着し易くなる。
【０００８】
（実施形態１）
本発明の接木接合クリップの実施形態の一例を図１、図２に基づいて説明する。この接木接合クリップは図１、図２に示すように台木１と穂木２の接木接合部３を挟着保持する接木接合クリップであって二枚のつまみ片４が平面形状ほぼＶ字状に樹脂で一体成型され、そのＶ字状の外側先端角部に接木接合部を挟着保持可能な挟着片４ａが対向して形成され、両挟着片４ａの間に接木接合部３を挟持可能な挟持溝５が縦向きに貫通して形成されている。
【０００９】
前記二枚のつまみ片４は、図１、図２に示すように可撓性のある樹脂材で一体成型された板状である。二枚のつまみ片４は同図に示すようにＶ字状の終端部６に向かって少し肉厚に成型してある。二枚のつまみ片４双方の終端部６付近には支持体差込孔７が縦向きに開口されている。この支持体差込孔７は爪楊枝やピン等の支持体８を上から差し込み可能な径であり、その上方から差し込んで下方に突出させた支持体８の下端を台木が植えられている地面（土壌）に差込むことで、クリップの傾斜や倒れを防止して接木の傾斜や倒れも防止することができるようにしてある。支持体差込孔７は二枚のつまみ片４の一方にのみ開口することもでき、また、一つのつまみ片４に二以上開口することもできる。
【００１０】
前記二枚の挟着片４ａはつまみ片４の延長上先端側であってＶ字部分の先端部外側に対向して形成されている。両挟着片４ａの間に形成される縦向き貫通の挟持溝５は、その奥側１０がほぼ円形に形成され、先端側１１に向けて先細りに形成されて、先端部が開口されている。この形状及び構造とすることにより、外側広がりに対向する二枚のつまみ片４の終端部６を互いに接近させると両挟着片４ａの先端側が外側に開いて挟持溝５が広がり、その挟持溝５の内側に接木接合部３を収容できるようになり、二枚のつまみ片４の接近を解放すると二枚の挟着片４ａが閉じて挟持溝５内の接木接合部３が両挟着片４ａの内面間に挟着保持されるようにしてある。また、挟持溝５の奥側がほぼ円形で先端側が先細りであるため、細い接木接合部３は先端側１１で、太い接木接合部３は奥側１０で夫々挟着保持することができるようにしてある。
【００１１】
前記挟着片４ａの内面には図１、図２に示すように縦向きのすべり防止溝１２が多数本形成されて、挟着保持した接木接合部３の台木１と穂木２が位置ずれしないようにしてある。すべり防止溝１２は、挟着片４ａの内面に縦向きに数本の凸条を平行に形成するか数本の凹陥溝を平行に設けることにより形成することができる。
【００１２】
本発明の接木接合クリップを形成する樹脂材は、透明又は半透明のものであることが、挟着した接木接合部３を外部から観察したり、光を十分に与えて接木接合部３の活着を促進したりする上で望ましい。また、樹脂材としては任意の樹脂を使用することができるが、定型性及び可撓性を有する軟樹脂製のものとすることが望ましい。
【００１３】
図１、図２の接木接合クリップを用いて接木接合部３を挟着保持するためには次のようにする。
（１）二枚のつまみ片４の終端部６を指で摘まむ等して互いに接近させて二枚の挟着片４ａを外側に開いて挟持溝５を広げ、その内側に接木接合部３をセットする。
（２）前記セット後に、二枚のつまみ片４の終端部６の接近を解除して二枚の挟着片４ａを内側に閉じて挟持溝５を元に戻し、挟持溝５内の接木接合部３を二枚の挟着片４ａ間に挟着する。
（３）挟持溝５内に接木接合部３を挟着したら、二枚のつまみ片４の一方又は双方の支持体差込孔７に支持体８を上から挿し込んで貫通させ、貫通した支持体８の下端を地中に差込んで接木を倒れないように支持する。
【００１４】
（実施形態２）
本発明の接木接合クリップは、図３、図４に示すように、平面Ｖ字状の二枚のつまみ片４間に連結部１３が樹脂で一体成型されたものとすることもできる。連結部１３は、図３に示すような帯状とすることも、他の任意の形状とすることもできる。前記二枚のつまみ片４と連結部１３との間には、支持体８を上から挿通可能な支持体差込空間１４が形成されている。支持体差込空間１４内には、任意の径の支持体８を任意の数だけ挿通させることができ、接木を確実に支持することができる。なお、図３、図４のつまみ片４の終端部６付近には、前記実施形態１記載のような支持体差込孔７は開口されていない。
【００１５】
（実施形態３）
本発明の接木接合クリップは、図５、図６に示すように、平面Ｖ字状の二枚のつまみ片４間の連結部１３を樹脂で一体成型し、更に二枚のつまみ片４の終端部６付近に縦向きに支持体差込孔７を開口したものとすることもできる。連結部１３は、図５に示すような帯状とすることも、他の任意の形状とすることもできる。前記二枚のつまみ片４と連結部１３との間には、支持体８を上から挿通可能な支持体差込空間１４が形成されている。支持体差込孔７及び支持体差込空間１４には、夫々支持体８を挿通させることができ、接木を確実に支持することができるようにしてある。
【００１６】
（その他の実施形態）
前記各実施形態記載の接木接合クリップは、図１〜図６に示すようにいずれも挟持溝５の内側には縦向きのすべり防止溝１２が多数形成されているが、縦向きのすべり防止溝１２に限らず、台木１と穂木２を位置ずれさせずに保持可能であれば、任意の向きにすべり防止溝を形成することもできる。また、すべり防止溝１２は省略することもできる。
【産業上の利用可能性】
【００１７】
本発明の接木接合クリップは、接木接合部の挟着保持用には限られず、接着剤による棒状部材の端部同士の接着等に用いる各種保持クリップ等としても応用することができる。
【図面の簡単な説明】
【００１８】
【図１】本発明の接木接合クリップの実施形態の一例を示す斜視図。
【図２】図１の接木接合クリップを示す平面図。
【図３】本発明の接木接合クリップの実施形態の他の一例を示す斜視図。
【図４】図３の接木接合クリップを示す平面図。
【図５】本発明の接木接合クリップの実施形態の他の一例を示す斜視図。
【図６】図５の接木接合クリップを示す平面図。
【符号の説明】
【００１９】
１  台木
２  穂木
３  接木接合部
４  つまみ片
４ａ  挟着片
５  挟持溝
６  終端部
７  支持体差込孔
８  支持体
１０  奥側
１１  先端側
１２  すべり防止溝
１３  連結部
１４  支持体差込空間
【図１】
2008263878.tif 000003
【図２】
2008263878.tif 000004
【図３】
2008263878.tif 000005
【図４】
2008263878.tif 000006
【図５】
2008263878.tif 000007
【図６】
2008263878.tif 000008